(57)【要約】【課題】相手装置がＲＦＩＤタグ付き送信シートに対応していない場合であっても、秘匿性の高い送信が可能な送信装置、送信方法および送信プログラムを提供する。【解決手段】複合機３は、ＲＦＩＤタグ付きペーパーの記録内容をＲＦＩＤタグ付きペーパーに対応していないＦＡＸ機８、ユーザ端末装置６または複合機６０に送信するとき、ペーパーに記録された情報をスキャナにより読み取ってファクス送信し、ＲＦＩＤタグに記録された情報をＲＦＩＤリーダ・ライタによって読み取って、パスワードの入力によって情報を相手装置から出力させる親展送信モード、パスワードの入力によって情報をファクス送信する親展ポーリングモード、またはＲＦＩＤタグに記録された情報のＵＲＬを電子メールで送信する。【選択図】図１
2008060788.tif 000002
【特許請求の範囲】
【請求項１】
ＲＦＩＤタグ付き送信シートに対応した対応機、および前記ＲＦＩＤタグ付き送信シートに対応していない非対応機に情報を送信する送信装置において、
前記送信シートに記録された第１の送信情報を読み取る第１の読取部と、
前記ＲＦＩＤタグに記録された第２の送信情報を読み取る第２の読取部と、
相手装置が前記非対応機の場合は、前記第１の送信情報を前記所定の送信態様で送信し、前記第２の送信情報を前記所定の送信態様よりも秘匿性の高い送信態様で送信する送信制御手段とを備えたことを特徴とする送信装置。
【請求項２】
前記送信制御手段は、前記秘匿性の高い送信態様として、秘匿性の高い送信モードで送信することを特徴とする請求項１に記載の送信装置。
【請求項３】
前記送信制御手段は、前記秘匿性の高い送信モードとして、前記第１の送信情報をファクス送信し、前記第２の送信情報を、パスワードの入力によって情報を相手装置から出力させる親展送信モード、パスワードの入力によって情報をファクス送信する親展ポーリングモード、または前記第２の送信情報の保存場所情報を電子メールにより通知するモードで送信することを特徴とする請求項２に記載の送信装置。
【請求項４】
前記送信制御手段は、前記秘匿性の高い送信態様として、前記第１の送信情報はそのままの内容で、前記第２の送信情報は少なくとも機密に係るページあるいはページの部分の内容を変更して送信することを特徴とする請求項１に記載の送信装置。
【請求項５】
前記送信制御手段は、前記内容を縮小して送信することを特徴とする請求項４に記載の送信装置。
【請求項６】
前記送信制御手段は、前記内容をランダムに隠して送信することを特徴とする請求項４に記載の送信装置。
【請求項７】
前記送信制御手段は、前記内容の保存場所情報を送信することを特徴とする請求項４、５又は６に記載の送信装置。
【請求項８】
前記送信制御手段は、前記秘匿性の高い送信態様として、前記第１の送信情報はそのままの内容で、前記第２の送信情報は機密に係るページ以外を送信することを特徴とする請求項１に記載の送信装置。
【請求項９】
前記送信制御手段は、前記第１の送信情報、および前記内容をファクス、インターネットファクス、または電子メールで送信することを特徴とする請求項４に記載の送信装置。
【請求項１０】
ＲＦＩＤタグ付き送信シートに対応した対応機、および前記ＲＦＩＤタグ付き送信シートに対応していない非対応機に情報を送信する送信方法において、
前記送信シートに記録された第１の送信情報を読み取る第１の読取ステップと、
前記ＲＦＩＤタグに記録された第２の送信情報を読み取る第２の読取ステップと、
相手装置が前記非対応機の場合は、前記第１の送信情報を前記所定の送信態様で送信し、前記第２の送信情報を前記所定の送信態様よりも秘匿性の高い送信態様で送信する送信ステップとを含むことを特徴とする送信方法。
【請求項１１】
請求項１０に記載の送信方法をコンピュータに実行させるための送信プログラム。
【発明の詳細な説明】
【技術分野】
【０００１】
本発明は、ＲＦＩＤ（Radio Frequency Identfication）タグ付きシートの記録内容を送信する送信装置、送信方法および送信プログラムに関する。
【背景技術】
【０００２】
近年、パーソナルコンピュータ（ＰＣ）の普及に伴い、文字や図を紙に記録して得られる視認情報と、ＰＣが扱えるデジタル情報とを一体にして取り扱いたいという要求があり、例えば、ＲＦＩＤタグ付き印字用紙が提案されている。具体的には、送信元でＲＦＩＤタグ付き印字用紙から視認情報と共に読み出したデジタル情報を送信先へ送信し、送信先では受信した視認情報とデジタル情報を受信側のＲＦＩＤタグ付き印字用紙へ出力することで送信元の原稿を復元するファクシミリ装置が知られている（例えば、特許文献１参照。）。
【特許文献１】特開２００２−３３７４２６号公報
【発明の開示】
【発明が解決しようとする課題】
【０００３】
しかし、従来のファクシミリ装置によると、相手装置がＲＦＩＤタグ付き印字用紙に出力する機能を有していない装置の場合には、視認情報は出力できても、デジタル情報を出力できない。この場合の対応として、送信者がＲＦＩＤタグの内容を紙に出力し、これをファクス送信する方法が考えられる。しかし、第三者に見られたくない重要性や機密性の高い秘匿情報がＲＦＩＤタグに記憶されている場合でも、受信時点で紙に出力されてしまうため、容易に第三者に見られてしまう可能性がある。
【０００４】
従って、本発明の目的は、相手装置がＲＦＩＤタグ付き送信シートに対応していない場合であっても、秘匿性の高い送信が可能な送信装置、送信方法および送信プログラムを提供することにある。
【課題を解決するための手段】
【０００５】
本発明の第１の態様は、上記目的を達成するため、ＲＦＩＤタグ付き送信シートに対応した対応機、および前記ＲＦＩＤタグ付き送信シートに対応していない非対応機に情報を送信する送信装置において、前記送信シートに記録された第１の送信情報を読み取る第１の読取部と、前記ＲＦＩＤタグに記録された第２の送信情報を読み取る第２の読取部と、
相手装置が前記非対応機の場合は、前記第１の送信情報を前記所定の送信態様で送信し、前記第２の送信情報を前記所定の送信態様よりも秘匿性の高い送信態様で送信する送信制御手段とを備えたことを特徴とする送信装置を提供する。
【０００６】
前記送信制御手段は、前記秘匿性の高い送信態様として、秘匿性の高い送信モードで送信する構成にすることができる。
【０００７】
前記送信制御手段は、前記秘匿性の高い送信モードとして、前記第１の送信情報をファクス送信し、前記第２の送信情報を、パスワードの入力によって情報を相手装置から出力させる親展送信モード、パスワードの入力によって情報をファクス送信する親展ポーリングモード、または前記第２の送信情報の保存場所情報を電子メールにより通知するモードで送信してもよい。第２の送信情報を通常のファクス送信とは異なる送信方法により送信することにより、第２の送信情報の秘匿性を保つことができる。
【０００８】
前記送信制御手段は、前記秘匿性の高い送信態様として、前記第１の送信情報はそのままの情報で、前記第２の送信情報は少なくとも機密に係るページあるいはページの部分の内容を変更して送信する構成にすることができる。第２の送信情報のうち機密性を有する部分が変更されて送信されることにより、秘匿性を保つことができる。
【０００９】
前記送信制御手段は、前記内容を縮小して送信してもよい。機密に係るページあるいはページの部分を縮小すると、完全に認識されないため、秘匿性を保つことが可能となる。
【００１０】
前記送信制御手段は、前記内容をランダムに隠して送信してもよい。機密に係るページあるいはページの部分がランダムに隠されると、完全に認識されないため、秘匿性を保つことが可能となる。
【００１１】
前記送信制御手段は、前記内容の保存場所情報を送信してもよい。この場合に、機密に係る部分を縮小したり、ランダムに隠した場合にその部分のオリジナルの保存場所情報を共に送信してもよい。保存場所情報にアクセスしないとオリジナルを入手できないため、秘匿性を保つことができる。
【００１２】
前記送信制御手段は、前記秘匿性の高い送信態様として、前記第１の送信情報はそのままの情報で、前記第２の送信情報は機密に係るページ以外を送信してもよい。機密に係るページを送信しないことにより、秘匿性を完全に保つことができる。
【００１３】
前記送信制御手段は、前記第１の送信情報、および前記内容をファクス、インターネットファクス、または電子メールで送信してもよい。
【００１４】
本発明の第２の態様は、上記目的を達成するため、ＲＦＩＤタグ付き送信シートに対応した対応機、および前記ＲＦＩＤタグ付き送信シートに対応していない非対応機に情報を送信する送信方法において、前記送信シートに記録された第１の送信情報を読み取る第１の読取ステップと、前記ＲＦＩＤタグに記録された第２の送信情報を読み取る第２の読取ステップと、相手装置が前記非対応機の場合は、前記第１の送信情報を前記所定の送信態様で送信し、前記第２の送信情報を前記所定の送信態様よりも秘匿性の高い送信態様で送信する送信ステップとを含むことを特徴とする送信方法を提供する。
【００１５】
本発明の第３の態様は、上記目的を達成するため、上記送信方法をコンピュータに実行させるための送信プログラムを提供する。
【００１６】
上記第１乃至第３の態様によれば、送信シートの記録内容は、受信時点で認識できる送信態様で送信し、ＲＦＩＤタグの記録内容は、受信時点で認識できない秘匿性の高い送信態様で送信することにより、相手装置がＲＦＩＤタグ付きシートに対応していない場合であっても、ＲＦＩＤタグの記録内容に含まれる機密情報の秘匿性を高めることが可能となる。
【００１７】
上記送信シートは、紙やプラスチックからなるものを用いることができる。送信シートに記録された第１の送信情報は、光電変換素子を用いて光学的に読み取ることができ、ＲＦＩＤタグに記録された第２の送信情報は、電波を用いて読み取ることができる。上記秘匿性の高い送信態様には、秘匿性の高い送信モードや送信内容が考えられる。秘匿性の高い送信モードには、親展送信、親展ポーリング、保存場所情報の電子メール通知等がある。秘匿性の高い送信内容には、画像の縮小、文字等のブラインド、ページ選択等がある。上記保存場所情報は、ＵＲＬ、ファイル名等のようにパーソナルコンピュータ（ＰＣ）等のユーザ端末によってアクセス可能な場所情報をいう。
【発明の効果】
【００１８】
本発明によれば、相手装置がＲＦＩＤタグ付き送信シートに対応していない場合であっても、秘匿性の高い送信が可能となる。
【発明を実施するための最良の形態】
【００１９】
［第１の実施の形態］
（通信システムの構成）
図１は、本発明の第１の実施の形態に係る通信システムを示す。この通信システム１は、ＬＡＮ（ローカルエリアネットワーク）等のネットワーク４に接続されたパーソナルコンピュータ（ＰＣ）等からなるユーザ端末装置２、及び送信装置としての複合機３と、ネットワーク４にインターネット５を介して接続されたＰＣ等からなるユーザ端末装置６と、複合機３に公衆電話網７を介して接続されたＦＡＸ（ファクシミリ）通信専用のＦＡＸ機８と、ＦＡＸ通信の中継網にインターネット５を利用したインターネットファクス（ｉＦＡＸ）に対応した複合機６０とを備えて構成されている。
【００２０】
（複合機の構成）
図２は、複合機３の構成を示す。この複合機３は、「コピー＋プリンタ＋ファクシミリ」や「コピー＋プリンタ＋ファクシミリ＋スキャナ」等の機能を有し、筐体を構成している本体１０と、本体１０内に設けられて指定のサイズ及び紙質の用紙に可視像による印刷を行う印刷部２０と、本体１０内に設けられて印刷部２０に供給される指定の用紙を収納する給紙部３０とを備えている。
【００２１】
本体１０には、ＲＦＩＤタグ付き送信シートとしてのＲＦＩＤタグ付きペーパー９や原稿がセットされる送信トレイ１１と、印刷部２０により印刷が終了した記録紙を排出する排紙トレイ１２と、送信トレイ１１からのＲＦＩＤタグ付きペーパー９や原稿を光学的に読み取る第１の読取部としてのスキャナ１３と、送信トレイ１１上のＲＦＩＤタグ付きペーパー９に対してデータの書き込み／読み出しを行う第２の読取部としてのＲＦＩＤリーダ・ライタ１４と、送信トレイ１１からのＲＦＩＤタグ付きペーパー９や原稿を排出する排紙台１５と、給紙部３０から印刷部２０へ搬送されるＲＦＩＤタグ付きペーパー９のＲＦＩＤタグにデータを書き込むＲＦＩＤライタ１６とが設けられている。
【００２２】
ＲＦＩＤタグ付きペーパー９は、外部から電源供給及びデータの書き込み／読み出しが無線により行われる微小なＩＣチップによるＲＦＩＤタグ９１と、このＲＦＩＤタグ９１が所定の位置に設けられた送信シートとしてのペーパー９２からなる。
【００２３】
ＲＦＩＤタグ９１は、例えば、商品の詳細なスペック、商品の拡大写真、異なる角度から写した写真等からなる画像データ９０１や、製品価格、製造原価、新製品の仕様等のテキストデータ９０２が、書き込み／読み出しが可能な不揮発性のメモリを備えている。画像データ９０１及びテキストデータ９０２は、その少なくとも一部に機密性または重要性の高い秘匿情報を有している。また、ペーパー９２には、例えば、ＲＦＩＤタグ９１の記録内容に対する概要や外観の一部、送り状に相当する内容等の表記情報９３が印刷、手書き等により記載されている。
【００２４】
印刷部２０は、スキャナ１３による読取情報に基づいて光信号を生成する露光部２１と、露光部２１からの光を所定方向へ反射させるミラー２２と、ミラー２２からの光に基づいて表面に潜像が形成されるとともに該潜像にトナーによる可視像が形成される感光体ドラム２３と、感光体ドラム２３上のトナー像を給紙部３０からの用紙上に転写する転写部２４と、転写されたトナー像を用紙に熱及び加圧力により定着させる定着ローラ２５とを備える。
【００２５】
給紙部３０は、例えば、Ａ４，Ｂ４等のサイズの用紙がサイズ毎にセットされる用紙トレイ３２Ａ，３２Ｂと、データ書き込み前のＲＦＩＤタグ付きペーパー９がセットされるタグ付きペーパートレイ３３と、用紙トレイ３２Ａ，３２Ｂ及びタグ付きペーパートレイ３３から用紙又はＲＦＩＤタグ付きペーパー９を送り出す給紙ローラ３４と、この給紙ローラ３４によって送り出された用紙又はＲＦＩＤタグ付きペーパー９を印刷部２０へ搬送する複数の搬送ローラ３５とを備える。
【００２６】
複合機６０は、ＲＦＩＤタグ付きペーパー９には非対応なため、ＲＦＩＤリーダ・ライタ１４、ＲＦＩＤライタ１６、タグ付きペーパートレイ３３等は有しないが、その他は複合機３と同様に構成されている。
【００２７】
（複合機の制御系の構成）
図３は、複合機３の制御系を示す。この複合機３は、上記したスキャナ１３、ＲＦＩＤリーダ・ライタ１４、ＲＦＩＤライタ１６、印刷部２０、及び給紙部３０を備えるほか、複合機３の全体を制御するＣＰＵ４１と、ＣＰＵ４１を周辺構成に接続するバス４２と、各種のプログラムが格納されたＲＯＭ４３と、データやプログラムを一時的に記憶するＲＡＭ４４と、文書データや画像データ、図４Ａ、図４Ｂに示すようなプログラム等をＨＤ（ハードディスク）に記憶するＨＤＤ４５と、ネットワーク４に接続されたネットワーク通信部４７と、公衆電話網７に接続されたファクス通信部４８と、ユーザにより操作される操作表示部５０とを備える。
【００２８】
なお、ＣＰＵ４１、バス４２、ＲＯＭ４３、ＲＡＭ４４、ネットワーク通信部４７、及びファクス通信部４８を含む構成は、送信制御手段を構成している。
【００２９】
ネットワーク通信部４７は、ユーザ端末装置２，６との間でメール等の通信を行うほか、複写機６０との間でｉＦＡＸの通信を行う構成を有する。
【００３０】
ファクス通信部４８は、スキャナ１３で読み取った情報をＧ３，Ｇ４規格等の通信モードに対応したファクスデータに変換してＦＡＸ機８へ公衆電話網７を介して送信し、また、ＦＡＸ機８から送信されたファクスデータを公衆電話網７を介して受信して処理する構成を有する。
【００３１】
操作表示部５０は、各種の設定／指定の入力結果や通信の状態等を表示する液晶表示器と、液晶表示器に設けられたタッチパネルと、スタートボタン、キャンセルボタン、テンキー、電源ボタン等の各種の機能キー等を有して、ユーザインターフェース（ＵＩ）を構成している。
【００３２】
（通信システムの動作）
次に、上記構成による通信システム１の動作を場合を分けて説明する。
【００３３】
（１）ＲＦＩＤタグ付きペーパー９への書込み動作
ＲＦＩＤタグ付きペーパー９にデータを書き込む場合、ユーザは、ＲＦＩＤタグ付きペーパー９に書き込み、或いは印刷する情報をユーザ端末装置２等で作成し、これを複合機３のＨＤＤ４５に保存する。次に、ユーザは、情報が書き込まれていないＲＦＩＤタグ付きペーパー９をタグ付きペーパートレイ３３にセットする。
【００３４】
次に、ユーザは、操作表示部５０を操作してＲＦＩＤタグ付きペーパー９への書き込みを指示する。この指示により、ＣＰＵ４１は、給紙ローラ３４及び搬送ローラ３５を駆動し、タグ付きペーパートレイ３３上のＲＦＩＤタグ付きペーパー９を印刷部２０へ搬送させる。ＲＦＩＤタグ付きペーパー９のＲＦＩＤタグ９１がＲＦＩＤライタ１６に到達すると、ＨＤＤ４５から読み出された書き込み情報がＲＦＩＤライタ１６によって、無線によりＲＦＩＤタグ９１にＰＤＦ（Portable Document Format）等のデータ保存形式により書き込まれる。
【００３５】
ＲＦＩＤタグ９１に画像データ９０１及びテキストデータ９０２の書き込みが終了すると、ＲＦＩＤタグ付きペーパー９は印刷部２０に送られ、印刷部２０により表記情報９３がＲＦＩＤタグ付きペーパー９の表面に印刷される。表記情報９３の印刷が終了したＲＦＩＤタグ付きペーパー９は、排紙トレイ１２へ排出される。これらの動作により、ＲＦＩＤタグ９１に情報が記憶された原稿（ペーパー９）が作成されたことになる。
【００３６】
（２）複合機３の非対応機への送信動作
上記のようにペーパー９２の表面に表記情報９３が印刷され、ＲＦＩＤタグ９１にデータ９０１，９０２が書き込み済みのＲＦＩＤタグ付きペーパー９を原稿として、この原稿の内容を複合機３の非対応機への送信する動作について説明する。ＲＦＩＤタグ９１のデータ９０１，９０２及びスキャナ１３により読み込むことによりペーパー９２の表記情報９３は、複合機３のＨＤＤ４５に蓄積されて蓄積データとなり、この蓄積データに対して以下の送信処理がなされる。ここで、複合機３とユーザ端末装置６またはＦＡＸ機８との間の情報伝送は、以下の３通りの方法で行うことができる。
【００３７】
（ａ）複合機３からＦＡＸ機８へ「親展」のモードでファクス送信し、ＦＡＸ機８側で「親展文書」として取り出す。
（ｂ）複合機３の蓄積データに対して、パスワード付きの親展ポーリングを設定し、ＦＡＸ機８により複合機３からのパスワードの入力により、親展ポーリングにより蓄積データを取り出す。
（ｃ）複合機３からユーザ端末装置６へ蓄積データの保存場所を示すＵＲＬ（Uniform Resource Locator）を電子メールで通知（ＵＲＬ通知）し、受信者は通知されたＵＲＬにアクセスしてＲＦＩＤタグ９１の記録内容を閲覧する。この場合、受信者には閲覧が行えるのみで、紙にプリントアウトは許可しないように構成してもよいし、受信者により所定のパスワードが入力されると紙にプリントを許可するように構成してもよい。
【００３８】
図４Ａ及び図４Ｂは、上記（ａ）〜（ｃ）の処理を示す。
【００３９】
まず、ユーザは、図４Ａに示すように、記載面を下にしてＲＦＩＤタグ付きペーパー９を送信トレイ１１にセットする（Ｓ１０１）。次に、ユーザは操作表示部（ＵＩ）５０のタッチパネルにより「ＲＦＩＤタグ付きペーパーの非対応機への送信」を選択し（Ｓ１０２）、更に、ユーザは操作表示部５０のタッチパネルにより、親展送信／親展ポーリング／ＵＲＬ通知のいずれの送信方法にするかを選択する（Ｓ１０３）。
【００４０】
ユーザは、親展送信を選択したときは（Ｓ１０４）、操作表示部５０により送信先の電話番号、蓄積データのナンバー及びパスワードを入力し（Ｓ１０５）、親展ポーリングを選択したときは（Ｓ１０６）、蓄積データのナンバー及びパスワードを入力し（Ｓ１０７）、ＵＲＬ通知を選択したときは（Ｓ１０８）、送付先であるユーザ端末装置（ＰＣ）６のメールアドレスを入力する（Ｓ１０９）。なお、キャンセルボタンがユーザにより押下された場合（Ｓ１１０：ＹＥＳ）、キャンセル処理を実行した後（Ｓ１３０）、処理を終了する。
【００４１】
次に、上記ステップＳ１０５、Ｓ１０７、Ｓ１０９のいずれかの処理が終了すると、ＣＰＵ４１は、スキャナ１３で読み取ったペーパー９２の表記情報９３を送信するサイズを選択し（Ｓ１１１）、ＲＦＩＤタグ９１のデータ９０１，９０２を送信するサイズを選択する（Ｓ１１２）。なお、ペーパー９２の送信サイズのデフォルトは元のペーパーサイズであり、ＲＦＩＤタグ９１のデータの送信サイズのデフォルトは、ペーパー９２の読み出し時のペーパーサイズと同じである。
【００４２】
次に、ＣＰＵ４１は、図４Ｂに示すように、ユーザによるキャンセルボタンの押下の有無を判定し（Ｓ１１３）、キャンセルボタンが押下された場合（Ｓ１１３：ＹＥＳ）、ＣＰＵ４１はキャンセル処理を実行する（Ｓ１１４）。キャンセルボタンが押下されなかった場合（Ｓ１１３：ＮＯ）、ＣＰＵ４１は、スタートボタンの押下の有無を判定する（Ｓ１１５）。ユーザがスタートボタンを押下すると（Ｓ１１５：ＹＥＳ）、ＣＰＵ４１はＲＦＩＤタグ９１のデータをＲＦＩＤリーダ・ライタ１４で読み取り（Ｓ１１６）、更にスキャナ１３を動作させてＲＦＩＤタグ付きペーパー９の表記情報９３を読み取る（Ｓ１１７）。次に、ＣＰＵ４１はキャンセルボタンの押下の有無を判定し（Ｓ１１８）、キャンセルボタンが押下されたら（Ｓ１１８：ＹＥＳ）、キャンセル処理を実行する（Ｓ１１９）。
【００４３】
上記ステップＳ１１８でキャンセルボタンの押下無しが判定された場合（Ｓ１１８：ＮＯ）、ＣＰＵ４１は、送信方法が親展送信か（Ｓ１２０）、親展ポーリングか（Ｓ１２１）、ＵＲＬ通知か（Ｓ１２２）に応じて、相手装置へ親展送信（Ｓ１２３）、親展ポーリング（Ｓ１２４）、またはＵＲＬのメール送信（Ｓ１２５）の処理を実行する。ついで、ＣＰＵ４１は、キャンセルボタンの押下の有無を判定し（Ｓ１２６）、キャンセルボタンの押下無しが判定されれば（Ｓ１２６：ＮＯ）、一連の処理の完了（実行完了）の有無を判定する（Ｓ１２７）。実行完了であれば（Ｓ１２７：ＹＥＳ）、処理の完了を操作表示部５０に表示し（Ｓ１２８）、ユーザに報知する。
【００４４】
なお、上記したステップＳ１０２においては、ユーザは操作表示部（ＵＩ）５０のタッチパネルにより「ＲＦＩＤタグ付きペーパーの非対応機への送信」を選択する構成を記載したが、予め記憶された送信先の機器毎のＲＦＩＤタグ付きペーパーの対応可否情報に基づいて「ＲＦＩＤタグ付きペーパーの非対応機への送信」を選択するようにしても良いし、指定された送信先機器と通信を行い送信先機器がＲＦＩＤタグ付きペーパーに対応しているかを問い合わせて「ＲＦＩＤタグ付きペーパーの非対応機への送信」を選択する選択するように構成しても良い。
【００４５】
（３）複合機３の対応機への送信動作
相手装置がＲＦＩＤタグ付きペーパー９の対応機の場合は、ＲＦＩＤタグ９１およびペーパー９２からそれぞれ読み出された情報がファクス画像として送信され、対応機では、受信データのうちＲＦＩＤタグ９１への書込みデータがＲＦＩＤタグに書き込まれ、ペーパー９２への書込みデータがペーパーに書き込まれてＲＦＩＤタグ付きペーパー９が復元される。
【００４６】
（第１の実施の形態の効果）
第１の実施の形態によれば、下記の効果を奏する。
（イ）相手装置がＲＦＩＤタグ付きペーパー９に対応していない場合、相手装置の通信方式等に応じて、親展送信、親展ポーリング、またはＵＲＬ通知のいずれかの送信方法を選択できるため、データ９０１，９０２内の秘匿情報が送信時の画像等から第三者に漏れるのを防止することができる。
（ロ）ＲＦＩＤ９１のデータに対しては、受信側で閲覧や取り出しを行うので、送信側では、ＲＦＩＤ９１のデータ部分を取り出して別途送信する手間を省くことができる。
【００４７】
［第２の実施の形態］
図６Ａ及び図６Ｂは、本発明の第２の実施の形態に係る通信システムの処理を示す。また、図５は、本実施の形態におけるＦＡＸ機への送信方法を示す。
【００４８】
この実施の形態は、ＲＦＩＤタグ付きペーパー９の秘匿情報を有するデータ９０１，９０２をユーザ端末装置６やＦＡＸ機８、複合機６０等の相手装置へ送信する場合、ＲＦＩＤタグ付きペーパー９の表記情報９３とＵＲＬを相手装置に送信するものであり、その他の処理及びハードウェア構成は第１の実施の形態と同様である。
【００４９】
なお、ユーザ端末装置６においてはメールの送受信が行え、複合機６０においてはｉＦＡＸの受信が可能である。また、ＦＡＸ機８においては、インターネット接続機能を有しない場合、別途、ＰＣ等を用いてＵＲＬをアクセスする。以下に、図６Ａ及び図６Ｂを参照して詳しく説明する。
【００５０】
本実施の形態において、ステップＳ１０１、Ｓ１０２の処理は、第１の実施の形態と同様であるので、特に必要な場合以外は説明を省略する。Ｓ１０２でＲＦＩＤタグ付きペーパー９の非対応機への送信が選択されると、操作表示部５０により「ペーパー部分とＲＦＩＤタグデータのＵＲＬを送信」を選択し（Ｓ２０１）、更に、ＦＡＸ、ｉＦＡＸ、メールのいずれで送信するかを選択する（Ｓ２０２）。
【００５１】
上記ステップＳ２０２で選択した送信方法に応じて、ユーザは、ＦＡＸを選択の場合には（Ｓ２０３）、ＦＡＸ機８の電話番号（Ｓ２０４）、ｉＦＡＸを選択の場合には（Ｓ２０５）、ｉＦＡＸの受信先のメールアドレス（Ｓ２０６）、メールを選択の場合には（Ｓ２０７）、ユーザ端末装置６のメールアドレス（Ｓ２０８）を入力する。この入力が終了すると、第１の実施の形態と同様に、ＣＰＵ４１によってステップＳ１１１〜Ｓ１１６の処理が行われ、更に図６Ｂ、図５に示すように、ＲＦＩＤタグ９１のデータを複合機３内のＨＤＤ４５に蓄積する処理が行われ（Ｓ２０９）。ついで、第１の実施の形態と同様にステップＳ１１７、Ｓ１１８の処理が、ＣＰＵ４１により行われる。
【００５２】
その後、ＣＰＵ４１によってＦＡＸ、ｉＦＡＸ、またはメールの選択（Ｓ２１０、Ｓ２１２、Ｓ２１４の“ＹＥＳ”）に応じた送信が行われる（Ｓ２１１、Ｓ２１３、Ｓ２１５）。選択した送信が終了すると、第１の実施の形態と同様に、ステップＳ１２６〜Ｓ１２９の処理が実行される。
【００５３】
例えば、上記ステップＳ２０２でＦＡＸ送信が選択された場合について、図５を参照して説明する。上記ステップＳ２０２でＦＡＸ送信が選択されると、図５に示すように、ＲＦＩＤタグ９１のデータが複合機３内のＨＤＤ４５に蓄積され（Ｓ２０９）、ステップＳ２１１において、ステップＳ１１７において読み取られたペーパー９２の表記情報９３と閲覧用のＵＲＬの情報とをＦＡＸ画像データとして生成しＦＡＸ機８に送信され、ＦＡＸ機８で受信画像８１としてプリントアウトされる。この受信画像８１には、閲覧用のＵＲＬと説明文「ｈｔｔｐ：／／ｗｗｗ．・・・にアクセスしてください。」がメッセージ８２として印刷される。受信者は、ＵＲＬを見てＰＣ等からアクセスをし、複合機３に蓄積されているデータ９０１，９０２の閲覧やダウンロードを実行する。このような処理は、複合機６０においても同様にして行われる。この場合の送信はｉＦＡＸになる。
【００５４】
上述した第２の実施の形態によれば、相手装置がＲＦＩＤタグ付きペーパー９に対応していないとき、ＵＲＬ情報を添付してＦＡＸ、ｉＦＡＸ、またはメールにより相手装置に送信することにより、秘匿情報についてはＵＲＬへのアクセスにより受信者が取得できるようにしたため、秘匿情報が送信時の画像等から第三者に漏れるのを防止することができる。
【００５５】
［第３の実施の形態］
図８は、本発明の第３の実施の形態に係る通信システムの処理を示す。また、図７は、第３の実施の形態におけるＦＡＸ機への送信方法を示す。
【００５６】
本実施の形態は、第１の実施の形態において、ＦＡＸ機８や複合機６０へのＦＡＸ送信を対象としており、ＲＦＩＤタグ付きペーパー９のペーパー９２の画像サイズはそのままで、ＲＦＩＤタグ９１に格納のデータを、おおよそのイメージがわかる程度または判読ができない程度に縮小した縮小送信画像８３を表記情報９３の送信画像８４とともに、図７のようにＦＡＸ機８へ送信するようにしたものであり、その他の処理及びハードウェア構成は第１の実施の形態と同様である。なお、受信者がＲＦＩＤタグ９１のデータを必要とする場合、プリントアウトした書面、記憶媒体による提供を送信者に要求する。
【００５７】
本実施の形態において、第１の実施の形態と同様の処理は、説明を省略する。まず、ユーザは、記載面を下にしてＲＦＩＤタグ付きペーパー９を送信トレイ１１にセットする（Ｓ１０１）。次に、ユーザは操作表示部（ＵＩ）５０のタッチパネルにより「ＲＦＩＤタグ付きペーパーの非対応機への送信」を選択したとき（Ｓ１０２）、ユーザは、操作表示部５０により「ＦＡＸ送信：ＲＦＩＤタグ内のデータを縮小」を送信方法として選択し（Ｓ３０１）、更に、送信先であるＦＡＸ機８の電話番号を入力する（Ｓ３０２）。
【００５８】
次に、ＣＰＵ４１は、ステップＳ１１０、Ｓ１１５及びＳ１１６の処理を実行した後、ＲＦＩＤタグ９１のデータをＨＤＤ４５から読み出しで縮小する（Ｓ３０３）。更に、ＣＰＵ４１は、スキャナ１３及び関連する搬送機構を動作させ、ペーパー９２の表記情報９３の読み取りを実行する（Ｓ３０４）。ペーパー９２の読み取りが完了すると、ＣＰＵ４１は、ファクス通信部４８を起動して、ＦＡＸ機８へのＦＡＸ送信を開始させる（Ｓ３０５）。次に、ＣＰＵ４１は、ステップＳ１２６〜Ｓ１２８の処理を実行する。
【００５９】
上述した第３の実施の形態によれば、ＲＦＩＤタグ付きペーパー９のペーパー９２の表記情報９３の送信画像８４とともに、ＲＦＩＤタグ９１に格納のデータを縮小した縮小送信画像８３をＦＡＸ機８へ送信することにより、受信者は秘匿情報の概略を把握できるため、事務処理を効率的に進めることができる。
【００６０】
［第４の実施の形態］
図１２は、本発明の第４の実施の形態に係る通信システムの処理を示す。また、図９は、第４の実施の形態におけるＦＡＸ機への送信方法を示す。
【００６１】
本実施の形態は、第１の実施の形態において、図９のように、ＲＦＩＤタグ付きペーパー９のペーパー９２の画像はそのままで、ＲＦＩＤタグ９１のデータをランダムに黒塗り（スクランブル）して一部の内容のみが分かる程度に加工したスクランブル画像８５を、ペーパー９２の送信画像８４とともにＦＡＸ機８や複合機６０へ送信するようにしたものであり、その他の処理及びハードウェア構成は第１の実施の形態と同様である。なお、受信者がＲＦＩＤタグ９１に格納のデータを必要とする場合、プリントアウトした書面の郵送等を送信者に依頼する。
【００６２】
本実施の形態において、第１の実施の形態と同様の処理は、説明を省略する。まず、ユーザは、記載面を下にしてＲＦＩＤタグ付きペーパー９を送信トレイ１１にセットする（Ｓ１０１）。次に、ユーザは操作表示部（ＵＩ）５０のタッチパネルにより「ＲＦＩＤタグ付きペーパーの非対応機への送信」を選択したとき（Ｓ１０２）、「ＦＡＸ送信：ＲＦＩＤタグ内のデータをスクランブル」を送信方法として選択する（Ｓ４０１）。次に、送信先であるＦＡＸ機８や複合機６０の電話番号がユーザにより入力される（Ｓ３０２）。
【００６３】
次に、ＣＰＵ４１は、第１の実施の形態と同様にステップＳ１１０、Ｓ１１５及びＳ１１６の処理を実行した後、ＨＤ４５に格納したＲＦＩＤタグ９１のデータを読み出し（Ｓ１１６）、このデータをスクランブルに隠す処理（文字等のブラインド）を実行する（Ｓ４０２）。
【００６４】
図１０は、上記ステップＳ４０２のスクランブル画像の生成処理を示す。同図において、（ａ）はＲＦＩＤタグ９１が記憶しているスクランブル処理前の原稿画像８６を示し、（ｂ）はスクランブルデータ８７の内容を示し、（ｃ）は（ａ）の原稿画像８６にスクランブルデータ８７によりスクランブル部分８９を消したスクランブル画像８８を示す。
【００６５】
図１１は、スクランブルデータ８７の生成を示す説明図である。スクランブルデータ８７は、例えば、各ピクセルごとに乱数発生器で０〜９の数字を発生させ、その数字が３で割り切れれば、Ｍピクセル×Ｎラインをデータ部分にする。
【００６６】
図１１の例は、主走査方向へ３ピクセル目（副走査方向１ピクセル目）で“６”が発生し、（３ピクセル目から主走査方向に３ピクセル）×（副走査方向に３ピクセル）、主走査方向に７ピクセル目（副走査方向１ピクセル目）で“９”が発生し、（７ピクセル目から主走査方向に３ピクセル）×（副走査方向に３ピクセル）・・・、をスクランブルした場合である。なお、スクランブルのかかり具合は、見えなさすぎず、且つ見えすぎずというレベルになるように調整する。この例では、乱数発生器で０〜９が等しく発生するようにしたが、３０ｍ（ｍは任意の整数）ピクセル目は必ずスクランブルを入れる等の方法が考えられる。また、操作表示部５０に表示してユーザにスクランブル具合を調整させるようにしてもよい。
【００６７】
説明を図１２に戻すと、ステップＳ３０４においてＣＰＵ４１は、スキャナ１３及び搬送機構を動作させ、ＲＦＩＤタグ付きペーパー９のペーパー９２の記載面を読み取りを実行する。その後、ＲＦＩＤタグ付きペーパー９の読み取りが完了すると、ＣＰＵ４１は、ファクス通信部４８を起動して、図９のように、ＦＡＸ機８へのＦＡＸ送信を開始させる。更に、ステップＳ１２６〜Ｓ１２８の処理を実行する。
【００６８】
上述した第４の実施の形態によれば、ＲＦＩＤタグ付きペーパー９の表記情報９３とともに、ＲＦＩＤタグ９１のデータをスクランブルしたデータをＦＡＸ機８または複合機６０へ送信することにより、受信者は秘匿情報の概略を把握できるため、事務処理を効率的に進めることができる。
【００６９】
［第５の実施の形態］
図１３は、本発明の第５の実施の形態に係る通信システムの送信方法を示す。本実施の形態は、ＲＦＩＤタグ９１に格納のデータ９５の一部にセキュリティ（鍵９６）が有る場合、セキュリティの有るデータ９５Ｂを縮小（サムネイル）して送信するようにしたものであり、その他の処理及びハードウェア構成は第１の実施の形態と同様である。
【００７０】
図１３に示すように、ＲＦＩＤタグ９１に格納のデータ９５は、ＲＦＩＤタグ９１のデータのセキュリティが無いデータ９５Ａと、セキリティの有るデータ９５Ｂとからなる。そして、ＲＦＩＤタグ付きペーパー９に対応していない相手装置（ユーザ端末装置６または複合機６０）へ送る送信データ９７は、ペーパー９２の表記情報９３と、セキュリティが無いデータ９５Ａと、全体が分かる程度にセキリティの有るデータ９５Ｂを縮小したセキュリティ縮小データ９５Ｃとからなる。そして、ペーパー９２の表記情報９３及びデータ９５Ａは縮小等の加工をしないで送信し、セキュリティ縮小データ９５ＣにはＵＲＬ９９を付記して送信する。
【００７１】
受信側では、ＰＣ等を用いてＵＲＬ９９をアクセスするとともに、予め与えられたパスワードを入力してセキリティの有るデータ９５Ｂを閲覧する。
【００７２】
上述した第５の実施の形態によれば、セキリティの有るデータ９５Ｂは、内容を詳細に知ることはできないが全体の把握はでき、しかもセキリティを保持することができる。閲覧する場合でも、予め与えられたパスワードが必要なため、セキリティの有るデータ９５Ｂの内容を第三者に秘匿することができる。
【００７３】
［第６の実施の形態］
図１４は、本発明の第６の実施の形態に係る通信システムの送信方法を示す。本実施の形態は、第５の実施の形態において、ペーパー９２の表記情報９３とセキュリティ（鍵９６）の無いデータ９５Ａは送信するが、セキュリティの有るデータ９５Ｂは送信しないようにしたものであり、その他の処理及びハードウェア構成は第１の実施の形態と同様である。なお、本実施の形態においては、セキュリティ縮小データ９５Ｃの生成及びＵＲＬ９９の添付は不要である。
【００７４】
この第６の実施の形態によれば、セキュリティの有るデータ９５Ｂの縮小画像すらも送信しないので、第５の実施の形態に比べ、秘匿性を高めることができる。また、セキュリティ縮小データ９５Ｃの生成やＵＲＬ９９の入力作業が不要になるため、第５の実施の形態に比べ、送信側の処理を簡略化することができる。
【００７５】
［第７の実施の形態］
図１５は、本発明の第７の実施の形態に係る通信システムの送信方法を示す。本実施の形態は、ＲＦＩＤタグ付きペーパー９のＲＦＩＤタグ９１に格納されているデータのページの一部（図１５では、「製造原価７５万円」の記載部分。）にセキュリティ（鍵９６）が掛けられており、このセキュリティ部分９８をユーザの指示によりＵＲＬ９９に置き換えて送信するようにしたものであり、その他の処理及びハードウェア構成は第１の実施の形態と同様である。
【００７６】
受信側では、ＰＣ等を用いてＵＲＬ９９をアクセスするとともに、予め与えられたパスワードを入力してセキリティの有るデータ９５Ｂを閲覧する。
【００７７】
この第７の実施の形態によれば、データ９５Ｂのセキリティ部分９８は、ＵＲＬ９９に置き換えられるため、セキリティを保持することができる。閲覧する場合でも、予め与えられたパスワードが必要なため、セキリティ部分の内容を第三者に秘匿することができる。
【００７８】
［他の実施の形態］
なお、本発明は、上記各実施の形態に限定されず、本発明の趣旨を逸脱しない範囲内で種々な変形が可能である。また、本発明の趣旨を逸脱しない範囲内で、各実施の形態の構成要素を任意に組み合わせることができる。
【００７９】
例えば、上記各実施の形態では、本発明を複合機に適用した場合について説明したが、ファクシミリ専用装置等にも適用することができる。
【００８０】
また、上記各実施の形態では、相手装置が対応機か非対応機かをユーザが判断したが、送信装置が相手装置と通信して送信装置が判断してもよい。
【００８１】
また、上記各実施の形態では、ＲＦＩＤタグ付きペーパー９から情報を読み取るとき、ＲＦＩＤタグ付きペーパー９を送信トレイ１１にセットしたが、プラテン上に載置してもよい。
【図面の簡単な説明】
【００８２】
【図１】本発明の第１の実施の形態に係る通信システムを示す構成図である。
【図２】図１の複合機の構成を示す構成図である。
【図３】複合機の制御系を示すブロック図である。
【図４Ａ】第１の実施の形態の処理を示すフローチャートである。
【図４Ｂ】図４Ａに続く処理を示すフローチャートである。
【図５】本発明の第２の実施の形態におけるＦＡＸ機への送信方法を示す説明図である。
【図６Ａ】第２の実施の形態に係る通信システムの処理を示すフローチャートである。
【図６Ｂ】図６Ａに続く処理を示すフローチャートである。
【図７】本発明の第３の実施の形態におけるＦＡＸ機への送信方法を示す説明図である。
【図８】第３の実施の形態に係る通信システムの処理を示すフローチャートである。
【図９】本発明の第４の実施の形態におけるＦＡＸ機への送信方法を示す説明図である。
【図１０】スクランブル画像の生成処理を示す説明図である。
【図１１】図１０のスクランブルデータの生成を示す説明図である。
【図１２】第４の実施の形態に係る通信システムの処理を示すフローチャートである。
【図１３】本発明の第５の実施の形態に係る通信システムの送信方法を示す説明図である。
【図１４】本発明の第６の実施の形態に係る通信システムの送信方法を示す説明図である。
【図１５】本発明の第７の実施の形態に係る通信システムの送信方法を示す説明図である。
【符号の説明】
【００８３】
１  通信システム
２，６  ユーザ端末装置
３  複合機
４  ネットワーク
５  インターネット
７  公衆電話網
８  ＦＡＸ機
９  ＲＦＩＤタグ付きペーパー
１０  本体
１１  送信トレイ
１２  排紙トレイ
１３  スキャナ
１４  ＲＦＩＤリーダ・ライタ
１５  排紙台
１６  ＲＦＩＤライタ
２０  印刷部
２１  露光部
２２  ミラー
２３  感光体ドラム
２４  転写部
２５  定着ローラ
３０  給紙部
３２Ａ，３２Ｂ  用紙トレイ
３３  タグ付きペーパートレイ
３４  給紙ローラ
３５  搬送ローラ
４１  ＣＰＵ
４２  バス
４３  ＲＯＭ
４４  ＲＡＭ
４５  ＨＤＤ
４７  ネットワーク通信部
４８  ファクス通信部
５０  操作表示部
６０  複合機
８１  受信画像
８２  メッセージ
８３  縮小送信画像
８４  送信画像
８５  スクランブル画像
８６  原稿画像
８７  スクランブルデータ
８８  スクランブル画像
８９  スクランブル部分
９１  ＲＦＩＤタグ
９２  ペーパー
９３  表記情報
９５  ＲＦＩＤタグのデータ
９５Ａ  セキュリティの無いデータ
９５Ｂ  セキュリティの有るデータ
９５Ｃ  セキュリティ縮小データ
９６  鍵
９７  送信データ
９８  セキュリティ部分
９９  ＵＲＬ
９０１  画像データ
９０２  テキストデータ
【図１】
2008060788.tif 000003
【図２】
2008060788.tif 000004
【図３】
2008060788.tif 000005
【図４Ａ】
2008060788.tif 000006
【図４Ｂ】
2008060788.tif 000007
【図５】
2008060788.tif 000008
【図６Ａ】
2008060788.tif 000009
【図６Ｂ】
2008060788.tif 000010
【図７】
2008060788.tif 000011
【図８】
2008060788.tif 000012
【図９】
2008060788.tif 000013
【図１０】
2008060788.tif 000014
【図１１】
2008060788.tif 000015
【図１２】
2008060788.tif 000016
【図１３】
2008060788.tif 000017
【図１４】
2008060788.tif 000018
【図１５】
2008060788.tif 000019